(57)【要約】【課題】  筒状シェルを２重構造にすることなしに消音器本体の剛性を高め、放射音等の異音を低減させることができる消音器の提供。【解決手段】  断面形状が横長の扁平に形成され筒状シェル１１と、筒状シェル１１の両端部をそれぞれ閉塞するエンドプレート１２，１２とで構成された消音器本体１と、消音器本体１の内部を分割するバッフルプレート１３とを備え、バッフルプレート１３の外周縁部には筒状シェル１１にスポット溶接するためのフランジ１４が形成され、筒状シェル１１には長手方向に沿った複数本の長手方向内向きビード１５が筒状シェル１１の両端部を所定幅残して形成され、バッフルプレート１３のフランジ１４には筒状シェル１１における長手方向内向きビード１５の内面に沿った凹部１４ａが形成されている。【選択図】      図２
2006307695.tif 000002
【特許請求の範囲】
【請求項１】
筒状シェルと該筒状シェルの両端部をそれぞれ閉塞するエンドプレートとで構成された消音器本体と、該消音器本体の内部を分割するバッフルプレートとを備え、該バッフルプレートの外周縁部にはフランジが形成されてなる消音器において、
前記筒状シェルには長手方向に沿った複数本の長手方向内向きビードが形成され、
前記バッフルプレートのフランジには前記筒状シェルにおける長手方向内向きビードの内面に沿った凹部が形成されていることを特徴とする消音器。
【請求項２】
請求項１に記載の消音器において、前記筒状シェルの上面側には該上面側に形成される長手方向内向きビード相互間をつなぐ周方向内向きビードが形成されていることを特徴とする消音器。
【請求項３】
請求項１または２に記載の消音器において、前記長手方向内向きビードが前記筒状シェルの両端部を所定幅残して形成され、
前記エンドプレートがその外周に形成されたフランジを前記筒状シェルの端部の内側に装着された状態で固定され、
前記エンドプレートにおけるフランジの先端部が前記長手方向内向きビートの端部に当接することによりエンドプレートの位置決めがなされるように構成されていることを特徴とする消音器。
【請求項４】
請求項１〜３のいずれか１項に記載の消音器において、前記筒状シェルの断面形状が横長の扁平に形成されていることを特徴とする消音器。
【発明の詳細な説明】
【技術分野】
【０００１】
本発明は、自動車の排気系に装着される消音器に関する。
【背景技術】
【０００２】
従来の消音器としては、例えば、図５に示すように、消音器本体の内部を分割するバッフルプレート１０１にフランジ１０１Ａが形成され、インナシェル１０２に、アウタシェル１０３の凹状ビード部１０３Ａの少なくとも一部及びバッフルプレート１０１のフランジ１０１Ａが接触され、アウタシェル１０３の凹状ビード部１０３Ａの少なくとも一部及びインナシェル１０２にバッフルプレート１０１のフランジ１０１Ａが溶接接合された構造の消音器が知られている（例えば、特許文献１参照。）。
この従来の消音器では、消音器本体の剛性を高め、筒状シェルから外部へ伝達される放射音を低減させることができるようになる。
【０００３】
【特許文献１】特開平７−２５９５３１号公報
【発明の開示】
【発明が解決しようとする課題】
【０００４】
しかしながら、従来例の消音器にあっては、筒状シェルが凹状ビードを有するアウタシェルと平面のインナシェルとの２重構造であったため、製造する場合二種類の筒状シェルを造る必要があり、コストが高く付くと共に、挿入する工数が必要になるという問題があった。
【０００５】
本発明の解決しようとする課題は、消音器本体の剛性を高め、放射音を低減させることができる消音器を簡単な手段で製造できる構造を提供することにある。
【課題を解決するための手段】
【０００６】
上記課題を解決するため請求項１記載の消音器は、筒状シェルと該筒状シェルの両端部をそれぞれ閉塞するエンドプレートとで構成された消音器本体と、該消音器本体の内部を分割するバッフルプレートとを備え、該バッフルプレートの外周縁部にはフランジが形成されてなる消音器において、前記筒状シェルには長手方向に沿った複数本の長手方向内向きビードが形成され、前記バッフルプレートのフランジには前記筒状シェルにおける長手方向内向きビードの内面に沿った凹部が形成されていることを特徴とする手段とした。
【０００７】
請求項２記載の消音器は、請求項１に記載の消音器において、前記筒状シェルの上面側には該上面側に形成される長手方向内向きビード相互間をつなぐ周方向内向きビードが形成されていることを特徴とする手段とした。
【０００８】
請求項３記載の消音器は、請求項１または２に記載の消音器において、前記長手方向内向きビードが前記筒状シェルの両端部を所定幅残して形成され、前記エンドプレートがその外周に形成されたフランジを前記筒状シェルの端部の内側に装着された状態で固定され、前記エンドプレートにおけるフランジの先端部が前記長手方向内向きビートの端部に当接することによりエンドプレートの位置決めがなされるように構成されていることを特徴とする手段とした。
【０００９】
請求項４記載の消音器は、請求項１〜３のいずれか１項に記載の消音器において、前記筒状シェルの断面形状が横長の扁平に形成されていることを特徴とする手段とした。
【発明の効果】
【００１０】
請求項１記載の消音器では、上述のように、前記筒状シェルには長手方向に沿った複数本の長手方向内向きビードが形成されることで、消音器本体の剛性を高めることができるようになると共に、バッフルプレートのフランジには筒状シェルにおける長手方向内向きビードの内面に沿った凹部が形成されている構成とすることで、筒状シェルの内周面全体にバッフルプレートのフランジが当接した状態となるため、筒状シェルにおける平面部の振動が抑制され、これにより、放射音等の異音を低減させることができるようになるという効果が得られる。
【００１１】
請求項２記載の消音器では、上述のように、前記筒状シェルの上面側には該上面側に形成される長手方向内向きビード相互間をつなぐ周方向内向きビードが形成されることにより、長手方向内向きビード内に溜まる水を周方向内向きビードの傾斜を利用して周方向に落下させることができるようになる。
【００１２】
請求項３記載の消音器では、上述のように、前記長手方向内向きビードが筒状シェルの両端部を所定幅残して形成され、エンドプレートがその外周に形成されたフランジを筒状シェルの端部の内側に装着された状態で固定され、エンドプレートにおけるフランジの先端部が長手方向内向きビートの端部に当接することによりエンドプレートの挿入位置決めがなされるように構成されることにより、エンドプレート組み付け作業の効率化が図れるようになる。
【００１３】
請求項４記載の消音器では、上述のように、特に平面に近い部分が多い断面形状が横長の扁平に形成された消音器に適用されることにより、特に放射音低減効果が有効に働く。
【発明を実施するための最良の形態】
【００１４】
以下にこの発明の実施例を図面に基づいて説明する。
【実施例１】
【００１５】
この実施例１の消音器は、請求項１および２に記載の発明に対応する。
まず、この実施例１の消音器を図面に基づいて説明する。
【００１６】
図１はこの実施例１の消音器を示す平面図、図２は図１のＡ−Ａ線における拡大縦断面図、図３は図１のＢ−Ｂ線における拡大縦断面図である。
この消音器は、断面形状が横長の扁平に形成され筒状シェル１１と、該筒状シェル１１の両端部をそれぞれ閉塞するエンドプレート１２，１２とで構成された消音器本体１と、該消音器本体１の内部を分割するバッフルプレート１３とを備え、該バッフルプレート１３の外周縁部には筒状シェル１１にスポット溶接するためのフランジ１４が形成されている。
【００１７】
さらに詳述すると、上記筒状シェル１１には長手方向に沿った複数本の長手方向内向きビード１５が筒状シェル１１の両端部を所定幅残して形成され、上記バッフルプレート１３のフランジ１４には筒状シェル１１における長手方向内向きビード１５の内面に沿った凹部１４ａが形成されている。
【００１８】
また、上記筒状シェル１１の上面側には該上面側に形成される長手方向内向きビード１５−１５相互間をつなぐ周方向内向きビード１６が長手方向中央部に形成されている。
上記バッフルプレート１３は、周方向内向きビード１６を中心としてそれぞれ内側のものから順番にフランジ１４を後ろ向きの状態で筒状シェル１の両端開口部から挿入し、所定の位置でフランジ１４を筒状シェル１１にスポット溶接することにより順次組み付け固定される。
【００１９】
上記エンドプレート１２，１２は、その外周に筒状シェル１１の端部内面に装着可能なフランジ１７，１７が形成され、このフランジ１７，１７の先端縁部には内向きに折曲された折曲部１７ａ，１７ａが形成されている。そして、このエンドプレート１２，１２は、フランジ１７，１７をその先端折曲部１７ａ，１７ａが長手方向内向きビード１５の端部に当接するまで筒状シェル１１内に挿入させた状態で、筒状シェル１１の開口端縁部で溶接することにより組み付け固定されている。
【００２０】
次に、この実施例１の作用・効果を説明する。
この実施例１では、上述のように筒状シェル１１に長手方向に沿った複数本の長手方向内向きビード１５が形成されることで、消音器本体１の剛性を高めることができるようになるという効果が得られる。
【００２１】
また、バッフルプレート１３のフランジ１４には筒状シェル１１における長手方向内向きビード１５の内面に沿った凹部１４ａが形成されている構成としたことで、筒状シェル１１の内周面全体にバッフルプレート１３のフランジ１４が当接した状態となるため、筒状シェル１１における平面部１１ａの振動が抑制され、これにより、放射音を低減させることができるようになるという効果が得られる。
その上、消音器の内容量も従来例のような構造に比べて大きくすることができる。
【００２２】
また、筒状シェル１１の上面側には該上面側に形成される長手方向内向きビード１５−１５相互間をつなぐ周方向内向きビード１６が形成されることにより、長手方向内向きビード１５内に溜まる水を周方向内向きビード１６の傾斜を利用して周方向に落下させることができ、これにより、内向きのビードを形成してもこれに水や泥が溜まることによる錆の発生を防止することができるようになる。
そして、周方向ビード１６の開口側端面の断部をバッフルプレート１３の一つの挿入位置決めとして使用することもできる。
【００２３】
また、長手方向内向きビード１５が筒状シェル１１の両端部を所定幅残して形成され、エンドプレート１２，１２がその外周に形成されたフランジ１７，１７を筒状シェル１１の端部の内側に装着された状態で固定され、エンドプレート１２，１２におけるフランジ１７，１７の先端部に形成された折曲部１７ａ，１７ａが長手方向内向きビート１５の端部に当接することによりエンドプレート１２，１２の挿入位置決めがなされるように構成されることにより、エンドプレート１２，１２の組み付け作業の効率化が図れるようになる。
また、長手方向内向きビード１５をシェル１１の両端部を残さずに形成した場合に比べて、剛性も高くなる。特に、平板状のとき取り扱いが容易になる。
【００２４】
また、特に平面に近い部分が多い断面形状が横長の扁平に形成された消音器に適用されることにより、特に放射音低減効果が有効に働くことになる。
製造する場合、平板状態でプレス成形によりビードを成形してから巻回して端部を溶接すればよい。または、巻回してからシェル１１内に両端から受け型を挿入し合体するようにしてから外部から押圧して凹状ビードを形成すればよいので、内側の型を成形後抜く場合も外方へ凸ビードを設ける場合に比べて、一度シェル１１の径方向に下げてから抜き出すような手段が必要であり簡単な装置で成形することができる。シェル１１の剛性をより高めるため二重巻き形状とした場合でも簡単に製造することができる。
【００２５】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２６】
この実施例２は、実施例１における消音器の変形例を示すものであり、図４の平面図に示すように、中央部の２本の長手方向内向きビード１５−１５間における周方向内向きビード１６の形成を省略した点が実施例１とは相違したものである。
従って、この実施例２では、実施例１と同様の効果が得られる他に、複数の長手方向内向きビード１５内に溜まる水を左右周方向に振り分けて効率よく排水させることができるようになるという追加の効果が得られる。
【００２７】
以上本実施例を説明してきたが、本発明は上述の実施例に限られるものではなく、本発明の要旨を逸脱しない範囲の設計変更等があっても、本発明に含まれる。
例えば、実施例では、平面に近い部分が多い断面形状が横長の扁平に形成された消音器に本発明を適用した例を示したが、適用される消音器の断面形状は任意である。
【００２８】
また、実施例では、長手方向内向きビード１５の幅を全て同一にしたが、上面と下面で少なくとも１本の幅を他と変えることにより、バッフルプレート１３の上下方向の組み付け間違いをなくすことができるようになる。
【００２９】
また、実施例では、長手方向内向きビード１５の幅をその全長に亘り同一幅としたが、その幅が筒状シェル１１の両端部に行くにつれて細くなるようにテーパ状に形成し、この幅にバッフルプレート１３における凹部１４ａの幅を設定しておくことにより、バッフルプレート１３の位置決めが行えるようになる。
【図面の簡単な説明】
【００３０】
【図１】実施例１の消音器を示す平面図である。
【図２】図１のＡ−Ａ線における拡大縦断面図である。
【図３】図１のＢ−Ｂ線における拡大縦断面図である。
【図４】実施例２の消音器を示す平面図である。
【図５】従来例の消音器を示す縦断面図である。
【符号の説明】
【００３１】
１  消音器本体
１１  筒状シェル１１
１１ａ  平面部
１２  エンドプレート
１３  バッフルプレート
１４  フランジ
１４ａ  凹部
１５  長手方向内向きビード
１６  周方向内向きビード
１７  フランジ
１７ａ  折曲部
【図１】
2006307695.tif 000003
【図２】
2006307695.tif 000004
【図３】
2006307695.tif 000005
【図４】
2006307695.tif 000006
【図５】
2006307695.tif 000007